(57)【要約】【課題】  複数のセンテンスを含むコンテンツについて、ユーザの関心が高いセンテンスを優先的に出力する。【解決手段】  コンテンツ出力部８がコンテンツを出力中に、ユーザ要求入力部４がユーザからコンテンツ視聴操作に関する要求（特定のセンテンスの出力の繰返しや出力のスキップの要求）を入力し、状態判定部９がコンテンツ視聴操作要求の対象となったセンテンスを判断し、利用者情報生成部１０がコンテンツ視聴操作要求の対象となったセンテンスに含まれる単語に対してポイントを計上して各単語のポイントが示された利用者情報を生成し、コンテンツ解析部６はコンテンツ受信部５が受信したコンテンツの各センテンスについて利用者情報に示された各単語のポイントと各センテンスに含まれる単語を比較し、ポイントの高いセンテンスを優先的に出力するようにセンテンスの出力順序を決定し、コンテンツ出力部８が決定された出力順序でセンテンスを出力する。【選択図】        図１
2005182127.tif 000002
【特許請求の範囲】
【請求項１】
少なくとも一つ以上のセンテンスを含むコンテンツを受信するコンテンツ受信部と、
コンテンツに含まれるセンテンスを所定の出力順序に従って出力するコンテンツ出力部と、
コンテンツを利用するユーザからのコンテンツ視聴操作要求を入力するユーザ要求入力部と、
前記ユーザ要求入力部により入力されたコンテンツ視聴操作要求の履歴に基づいて、センテンスの出力順序の決定に用いられる出力順序基準を生成する出力順序基準生成部と、
前記出力順序基準生成部により生成された出力順序基準を用いて、前記コンテンツ受信部により受信されたコンテンツに含まれる各センテンスの出力順序を決定する出力順序決定部とを有することを特徴とする情報処理装置。
【請求項２】
前記ユーザ要求入力部は、
コンテンツ視聴操作要求として、前記コンテンツ受信部により受信されたコンテンツに含まれた特定のセンテンスの出力を繰り返すよう要求する出力リピート要求及び特定のセンテンスの出力をキャンセルするよう要求する出力キャンセル要求の少なくともいずれかを入力する場合があり、
前記出力順序基準生成部は、
出力リピート要求の履歴及び出力キャンセル要求の履歴の少なくともいずれかに基づいて、出力順序基準を生成することを特徴とする請求項１に記載の情報処理装置。
【請求項３】
前記コンテンツ受信部は、
センテンスに少なくとも一つ以上のワードを含むコンテンツを受信し、
前記出力順序基準生成部は、
出力リピート要求及び出力キャンセル要求のいずれかが入力された場合に、出力リピート要求及び出力キャンセル要求のいずれかの対象とされたセンテンスに含まれるワードを抽出し、ワードの抽出頻度に応じてワードごとに評価値を設定し、ワードごとの評価値を示す出力順序基準を生成し、
前記出力順序決定部は、
前記コンテンツ受信部により受信されたコンテンツに含まれたセンテンスについて、各センテンスに含まれるワードと出力順序基準に示されたワードごとの評価値とを比較して、各センテンスの出力順序を決定することを特徴とする請求項２に記載の情報処理装置。
【請求項４】
前記コンテンツ出力部は、
センテンスの出力としてセンテンスの表示及び音声出力を同時に行うことができ、音声出力されている部分に対して所定の強調表示を行うことを特徴とする請求項１に記載の情報処理装置。
【請求項５】
前記コンテンツ出力部は、
センテンスの出力の際に、出力順序基準に評価値が示されているワードに対して所定の強調表示を行うことを特徴とする請求項３に記載の情報処理装置。
【請求項６】
前記ユーザ要求入力部は、
コンテンツ視聴操作要求として、前記コンテンツ出力部が出力中のセンテンスに含まれるワードであって出力順序基準に評価値が示されているワードが含まれる未出力のセンテンスを出力するよう要求する未出力センテンス出力要求を入力する場合があり、
前記出力順序決定部は、
未出力センテンス出力要求が入力された場合に、前記コンテンツ出力部が出力中のセンテンスに含まれるワードであって出力順序基準に評価値が設定されているワードが含まれる未出力のセンテンスを前記コンテンツ受信部が受信したコンテンツの中から抽出し、抽出した未出力のセンテンスの出力を優先させて各センテンスの出力順序を決定することを特徴とする請求項３に記載の情報処理装置。
【請求項７】
前記情報処理装置は、更に、
コンテンツのユーザからの指示に基づき、前記出力順序基準生成部により生成された出力順序基準を編集する出力順序基準編集部を有することを特徴とする請求項１に記載の情報処理装置。
【請求項８】
前記出力順序基準生成部は、
ワードごとの評価値と、ワードの抽出元のセンテンスの識別情報とを示す出力順序基準を生成することを特徴とする請求項３に記載の情報処理装置。
【請求項９】
少なくとも一つ以上のセンテンスを含むコンテンツを受信するコンテンツ受信ステップと、
コンテンツに含まれるセンテンスを所定の出力順序に従って出力するコンテンツ出力ステップと、
コンテンツを利用するユーザからのコンテンツ視聴操作要求を入力するユーザ要求入力ステップと、
前記ユーザ要求入力ステップにより入力されたコンテンツ視聴操作要求の履歴に基づいて、センテンスの出力順序の決定に用いられる出力順序基準を生成する出力順序基準生成ステップと、
前記出力順序基準生成ステップにより生成された出力順序基準を用いて、前記コンテンツ受信ステップにより受信されたコンテンツに含まれる各センテンスの出力順序を決定する出力順序決定ステップとを有することを特徴とする情報処理方法。
【発明の詳細な説明】
【技術分野】
【０００１】
この発明は、通信端末上において、音声操作によって操作可能なＷｅｂブラウザに関するものである。
【背景技術】
【０００２】
インターネット上に存在する様々なコンテンツを取得し、視覚的に表示したり、次の情報へのリンクを備えることで様々な情報を利用可能としたＷＷＷ（Ｗｏｒｌｄ  Ｗｉｄｅ  Ｗｅｂ）ブラウザは一般的に広まっている。さらに、視覚的な表示や、マウスやキーボードなどの入力デバイスに依らず、音声認識や音声合成などによるコンテンツの再生、操作を可能としたＷＷＷブラウザが登場している。
【０００３】
例えば、特開平１１−１１０１８６号公報に示す「ブラウザシステム、音声プロキシサーバ、リンク項目の読み上げ方法及びリンク項目の読み上げプログラムを格納した記憶媒体」は、ＷＷＷ情報に含まれるテキストを、音声操作の対象として順に読み上げることを可能としたものである。
【特許文献１】特開平１１−１１０１８６号公報
【発明の開示】
【発明が解決しようとする課題】
【０００４】
従来技術では、音声などによるコンテンツの再生は行えても、コンテンツ内容によっては利用者の意図しない情報であったり、コンテンツ内で利用者の必要とする情報が後の方に記述されている場合、そこまで出力されるのを待つ必要があった。
【０００５】
また、様々な情報の中から利用者の意図する情報を選択することはできなかった。
【０００６】
そこで、本発明はこのような問題を解決することを目的の一つとする。
【課題を解決するための手段】
【０００７】
本発明に係る情報処理装置は、
少なくとも一つ以上のセンテンスを含むコンテンツを受信するコンテンツ受信部と、
コンテンツに含まれるセンテンスを所定の出力順序に従って出力するコンテンツ出力部と、
コンテンツを利用するユーザからのコンテンツ視聴操作要求を入力するユーザ要求入力部と、
前記ユーザ要求入力部により入力されたコンテンツ視聴操作要求の履歴に基づいて、センテンスの出力順序の決定に用いられる出力順序基準を生成する出力順序基準生成部と、
前記出力順序基準生成部により生成された出力順序基準を用いて、前記コンテンツ受信部により受信されたコンテンツに含まれる各センテンスの出力順序を決定する出力順序決定部とを有することを特徴とする。
【発明の効果】
【０００８】
本発明によれば、コンテンツ視聴操作要求の履歴に基づいて出力順序基準を生成し、生成した出力順序基準を用いて、コンテンツに含まれる各センテンスの出力順序を決定するため、コンテンツの利用者の関心が高い情報を優先的に出力することができる。
【発明を実施するための最良の形態】
【０００９】
実施の形態１．
図１は実施の形態１のブラウザ装置１（情報処理装置）の基本構成を示すブロック図である。
【００１０】
図において、コンテンツ受信部５は、通信により、インターネットなどからコンテンツを受信する。
【００１１】
コンテンツ解析部６（出力順序決定部）は、受信したコンテンツを解析する。解析は、コンテンツを走査し、その文書構造や表示を行うためのコンテンツの区切りなどを判定し、解析データとして出力する処理である。図２に解析の例を示す。ＨＴＭＬなどで記述されたＨＴＭＬコンテンツに対し、解析を行うことで見出し情報や内容情報を抽出する。図２に示すコンテンツ記述例を表示すると、表示例に示すように表示される。また、図２に示す内容１、内容２の内容情報のそれぞれが、センテンスに相当する。このため、本実施の形態に係るブラウザ装置１は、複数のセンテンスを含むコンテンツを受信する。後述するように、コンテンツ解析部６は、ブラウザ装置１のユーザの興味のあるセンテンスから出力するように各センテンスの出力順序を決定する。なお、コンテンツ解析部６により出力順序が決定された後のコンテンツを解析情報と呼ぶ。
【００１２】
解析情報記憶部１１は、コンテンツ解析部６により出力順序が決定された後のコンテンツ、すなわち、解析情報を一時的に記憶し、コンテンツ出力部８に出力する。
【００１３】
コンテンツ出力部８は、解析情報記憶部１１から解析情報を入力し、解析情報を利用者が視覚的に見たり、音声として聞けるように出力する部分である。また、音声情報を出力する場合は、利用者からの操作要求を受けて、コンテンツの特定部分を再度繰り返して出力することができたり、コンテンツの特定部分の出力キャンセル（スキップ）ができるものとする。
【００１４】
ユーザ要求入力部４は「戻る」「進む」や、次の情報へのジャンプ操作、フォームへの入力操作といった一般的なＷｅｂブラウズ操作要求を入力する。これはマウス・キーボードなどを利用した画面に対する操作の他に、音声認識処理を利用して声で「次」「前」などの入力であっても構わない。また、ユーザ要求入力部４は、ユーザのマウス・キーボード操作や音声認識処理により、コンテンツの特定部分の繰返し出力を要求する出力リピート要求やコンテンツの特定部分の出力キャンセル（スキップ）を要求する出力キャンセル要求をユーザから入力することができる。なお、ユーザ要求入力部４がユーザから入力するコンテンツ視聴に関する操作要求をコンテンツ視聴操作要求という。以下では、コンテンツ視聴操作要求として、出力リピート要求、出力キャンセル要求を例にして説明するが、「戻る」、「進む」、次の情報へのジャンプ操作の要求もコンテンツ視聴操作要求として扱うことができる。
【００１５】
状態判定部９はコンテンツ視聴操作要求が入力された際に、コンテンツ出力状態がどのようになっているのかを判定する。音声出力が行われている場合、「繰り返し」の操作が指定されたら現在コンテンツのどの部分が出力されているのか、といった状況を確認する。
【００１６】
利用者情報生成部１０（出力順序基準生成部）は上記状態判定によるコンテンツ状態とコンテンツ視聴操作要求の履歴から、利用者がどのような情報に興味を持っているのかを判断し、その情報を利用者情報（出力順序基準）として生成し、利用者情報記憶部１２に記憶させる。
【００１７】
なお、ブラウザ装置１は、図示していないが、例えばマイクロプロセッサ等のＣＰＵ、半導体メモリ等や磁気ディスク等の記録手段、及び通信手段を有する計算機により実現することができる。記録手段には、ブラウザ装置１に含まれる各構成要素の機能を実現するプログラムが記録されており、ＣＰＵがこれらのプログラムを読み込むことによりブラウザ装置１の動作を制御し、各構成要素の機能を実現することができる。
【００１８】
また、音声出力部３により音声出力が行われる場合、操作により利用者は自分が聞きたい部分を指定して再度出力させることができるものとする。例えば、音声で見出し１の内容を読み上げている途中で、利用者が繰り返し操作を指定し、ユーザ要求入力部４が出力リピート要求として受信すると、その情報が状態判定部９を経由してコンテンツ解析部６に送られ、コンテンツ解析部６が繰返し出力の対象となるコンテンツの部分を再度出力するようコンテンツ出力部８に指示することで、読上げている内容を再度出力する機能を備えている。また、この操作は例えば「もう一度」発話などの音声操作によっても行えても構わない。さらに、不要なセンテンスをとばす操作として、「パス」「スキップ」などによる操作も考えられる。この場合は、ユーザ要求入力部４が出力キャンセル要求を入力し、コンテンツ解析部６が現在の情報の次の情報を出力するようコンテンツ出力部８に指示し、これによりコンテンツ出力部８が情報をスキップすることができる。
【００１９】
上記操作が行われた際に、状態判定部９は、コンテンツがどのように出力されているのかを抽出する。例えば、画面表示が行われている場合には、コンテンツ全体の中のどの部分が表示されているのかということから、表示部分の情報を抽出したり、音声出力が行われている場合には、コンテンツ中のどの部分が読上げられているのか、といった判断を行う。具体的には、見出しが「スポーツ」の「京阪ライダーズがダントツの優勝を」というセンテンスが読上げられているという情報が得られる。
【００２０】
利用者情報生成部１０は上記の得られた情報から、利用者がどのような情報に対して興味を持っているのかを推定し、その情報を利用者情報として生成する。図３に処理の手順例を示す。
【００２１】
まず、利用者情報生成部１０は、出力リピート（繰返し出力）又は出力キャンセル（出力スキップ）の対象となったセンテンスを取り出し（Ｓ１０１）、取り出したセンテンスを単語（ワード）に分解する（Ｓ１０２）。そして、分解した各単語を取り出し（Ｓ１０３）、利用者情報記憶部１２に記憶されている利用者情報に同じ単語があるかどうかを判断する（Ｓ１０４）。もし、同じ単語が利用者情報にあれば（Ｓ１０４でＹｅｓ）、当該単語にポイント（評価値）を加算する。一方。同じ単語が利用者情報になければ（Ｓ１０４でＮｏ）、利用者情報に当該単語を新規に登録する（Ｓ１０６）。図３の例では、図２に示した見出しが「スポーツ」の「京阪ライダーズがダントツの優勝を」というセンテンスが出力リピートの対象となった場合を想定している。この場合は、カテゴリとして「スポーツ」、注目単語として「京阪」「ライダーズ」などの情報が抽出され、それぞれに対してポイントが加算される。また、「パス」「スキップ」などの操作が指定された場合は、出力中のコンテンツ情報に対しては利用者は興味を持たないものと判断する。抽出した情報、例えばスキップ操作時に出力されていたセンテンスが「民民党総裁選挙は小林首相有利」というセンテンスであれば、「民民党」「総裁」「選挙」「小林」「首相」などの単語を抽出し、それらの単語についてはマイナスの情報として利用者情報に記録する。
【００２２】
図４に利用者情報の例を示す。本例では、抽出された単語が、その抽出頻度に応じてポイント（評価値）によるランク付けされて登録されている。ランクはセンテンスの出力順序を決定する際の優先順位（基準）として利用される。
【００２３】
利用者情報が蓄積されると、それ以降のコンテンツ出力において、それらの情報を使用する。コンテンツ解析部６は、利用者情報を利用者が興味を持つ情報を判断するための基準として利用する。処理手順を図５に示す。
【００２４】
まず、コンテンツ解析部６は、コンテンツ受信部５が受信したコンテンツをセンテンスに分解する（Ｓ２０１）。次に、各センテンスについて、センテンスを単語（ワード）に分解し（Ｓ２０２）、分解した単語を取り出し（Ｓ２０３）、利用者情報に同じ単語があるかどうかを判断する（Ｓ２０４）。利用者情報に同じ単語があれば（Ｓ２０４でＹｅｓ）、当該センテンスに対して当該単語に設定されているポイントを加算し、単語数分同様の処理を繰り返す。以上により各センテンスについてポイントが計上されると、コンテンツ解析部６は、各センテンスが持つポイントにより、ポイントの高い順にセンテンスを並び替え、出力順とする（Ｓ２０６）。
前の例では「京阪」「ライダーズ」を含むセンテンスがあれば、そのセンテンスのポイントが高くなるため、当該センテンスの出力優先順位を上げる。これにより、ポイントの高いセンテンス、すなわち、ユーザの関心が高いと考えられるセンテンスを、コンテンツ出力部８において先に表示したり音声出力したりすることができる。
【００２５】
このように、本実施の形態に係るブラウザ装置によれば、音声などによる操作が可能となり、また蓄積した利用者情報を元により適切な順番でコンテンツの出力を行う事ができる。つまり、利用者情報を抽出・利用することで、利用者が望む情報を優先的に出力することが可能になる。
【００２６】
実施の形態２．
図６は実施の形態２のブラウザ装置１の出力例を示す説明図である。画面サイズが小さい場合やカーナビゲーション・システムのように操作上の問題で、画面出力が制限される場合、音声による出力が有効である。本実施の形態に係るブラウザ装置１のコンテンツ出力部８は、音声読上げ中の文字部分を画面で強調表示する。図の上の例では、読んでいる部分を画面中で文字を太くして強調している例である。また、文字の色を変えるようにしてもよい。下の例は、実際音で流れている部分だけをテロップのように出力する例である。
【００２７】
一般的に音声読上げには読み間違いなどが存在する場合が多いが、このように実際に読上げている部分を画面上に強調表示することで読み間違いの部分を利用者が確認しやすくすることにより、コンテンツの理解を助けることができる。つまり、本実施の形態に係るブラウザ装置によれば、音声出力の際の読み間違いなどを容易に確認することができる。
【００２８】
実施の形態３．
次に、実施の形態３に係るブラウザ装置について説明する。
実施の形態１で説明したとおり、コンテンツ解析において、利用者情報を利用者が興味を持つ情報として利用し、該当する単語（前の例では「京阪」「ライダーズ」など）を含むセンテンスがあれば、その単語自体を強調するための情報を付加し、解析情報を出力する。
【００２９】
図７は実施の形態３に係るブラウザ装置の出力例を示す説明図である。図に示すように、コンテンツ出力部は、付加された情報を元に、利用者情報に含まれる単語を強調表示したり、該当する単語を含む部分の領域を画面表示する。また、音声出力であれば、該当するセンテンスを読上げる。
【００３０】
実施の形態４．
図８は実施の形態４に係るブラウザ装置の操作例を示す。コンテンツ解析および通常の出力処理は実施の形態３までのものと同様である。
本実施の形態では、利用者は例えば「次の注目」という、現在出力中のセンテンスに含まれている単語（ワード）であって利用者情報に示されている単語を含む次のセンテンスを出力したい、という操作要求（未出力センテンス出力要求）を出すことができる。ユーザ要求入力部４は「次の注目」といった形で、利用者情報を使用することができる要求が入力されると、それを状態判定部９に伝える。状態判定部９は現在出力中のセンテンスに含まれる単語であって利用者情報に示されている単語をサーチし、サーチした単語とともに当該単語を含む未出力のセンテンスを出力するようコンテンツ解析部６に依頼する。コンテンツ解析部６では、コンテンツ受信部５が受信したコンテンツ中に、状態判定部９から依頼のあった単語を含むセンテンスが存在するか否かを判断し、そのようなセンテンスが存在する場合には、そのセンテンスが優先して出力されるようにセンテンスの出力順序を決定する。これにより、コンテンツ出力部８は、そのセンテンスを優先して出力することができる。
【００３１】
図８は、「京阪ライダーズがダントツの優勝を」というセンテンスが出力されているときに、ユーザから未出力センテンス出力要求があった場合に、利用者情報に含まれている「京阪」の単語を含む未出力のセンテンス（「大阪を中心に京阪ファンは」とのセンテンス）を出力する例を示している。
【００３２】
以上のように、本実施の形態に係るブラウザ装置によれば、利用者情報に基づき、コンテンツに含まれる注目情報を元にしたブラウザ操作が行える。つまり、本実施の形態に係るブラウザ装置によれば、利用者が注目するであろう情報を優先的に出力することで利用者が望む情報を適切に出力することができる。
【００３３】
実施の形態５．
図９は実施の形態５に係るブラウザ装置の基本構成を示すブロック図である。本実施の形態では、利用者からの操作を通して、利用者情報の編集を行う利用者情報編集部１３（出力順序基準編集部）を備える。
【００３４】
図１０は利用者情報編集部１３による利用者情報の編集の際の画面例を示したものである。本例では、画面には、図４で示したような利用者情報が表示されている。利用者は自分の意図しない単語が登録されている場合は、一覧画面から削除ボタンを押す事で単語の削除が行えたり、「追加」ボタンで注目する単語の登録が行えるようになっている。また、単語内容や頻度の修正も行える。利用者情報編集部１３は、ユーザからの追加・削除・修正要求に基づき、利用者情報に対する編集を行う。本編集の結果は利用者情報として再度保存され、次回のコンテンツの出力の際には更新された情報が使用される。
【００３５】
このように、本実施の形態に係るブラウザ装置によれば、利用者が注目するであろう情報を利用者によって確認し、編集することでより効果的に注目する情報の出力を行う事ができる。
【００３６】
実施の形態６．
図１１は実施の形態６に係るブラウザ装置において、記憶される利用者情報の例を示す説明図である。利用者情報は利用者情報生成部１０による生成の際に、単語ごとのポイントとともに、どのＷｅｂページ／サイトにおいて使用されたのかというロケーション情報と合わせて生成される（図中、ＵＲＬの列）。
コンテンツ解析部６は利用者情報を使用した解析処理を行う際に、利用者情報に記録されたロケーションと表示しようとするロケーションとが一致するかどうかを判定し、一致する場合にその利用者情報を使用することで、より精度の高いコンテンツの出力を行う事ができる。
【００３７】
ここで、以上の実施の形態１〜６で説明したブラウザ装置の特徴を以下にて再言する。
【００３８】
実施の形態１に係るブラウザ装置は、主に音声による操作・出力を可能としたＷｅｂブラウザにおいて、コンテンツ中の特定部分を切り出すことが可能で、利用者が意図した部分を繰り返し指定して再生可能であり、操作とコンテンツの内容から、利用者の興味に関する利用者情報を抽出・記録することを特徴とする。具体的には、コンテンツの内部を解析し、出力用の解析データを生成するコンテンツ解析部と、区分されたコンテンツをそれぞれ再生可能とするコンテンツ出力部と、区分されたコンテンツに対して指定でき、また繰り返し再生可能な操作部とを備える。さらに、どのコンテンツが選択されたのかを判断する状態判定部、選択されたセンテンスに含まれる単語情報を利用者情報として生成する利用者情報生成部とを備えることを特徴とする。
【００３９】
また、実施の形態２に係るブラウザ装置は、実施の形態１に加え、コンテンツ出力において特定の情報を強調して出力が行えることを特徴とする。
【００４０】
また、実施の形態３に係るブラウザ装置は、実施の形態２に加え、利用者情報を利用して強調することを特徴とする。
【００４１】
また、実施の形態４に係るブラウザ装置は、実施の形態３に加え、利用者情報を利用してブラウズ操作対象を加えることを特徴とする。
【００４２】
実施の形態５に係るブラウザ装置は、利用者情報の編集を行うための利用者情報編集部を備えることを特徴とする。
【００４３】
実施の形態６に係るブラウザ装置は、利用者情報をロケーション情報と組合せで管理することを特徴とする。
【図面の簡単な説明】
【００４４】
【図１】本発明の実施の形態１の基本構成を示すブロック図。
【図２】本発明の実施の形態１のコンテンツ解析の例を示す説明図。
【図３】本発明の実施の形態１の利用者情報蓄積の処理手順を示す説明図。
【図４】本発明の実施の形態１の利用者情報の例を示すブロック図。
【図５】本発明の実施の形態１の利用者情報を利用したコンテンツ解析の処理手順を示す説明図。
【図６】本発明の実施の形態２の読み上げ時の情報表示例を示す説明図。
【図７】本発明の実施の形態３の情報表示例を示す説明図。
【図８】本発明の実施の形態４の操作例を示す説明図。
【図９】本発明の実施の形態５の基本構成を示すブロック図。
【図１０】本発明の実施の形態５の操作の例を示す説明図。
【図１１】本発明の実施の形態６の利用者情報編集画面の例を示す説明図。
【符号の説明】
【００４５】
１  ブラウザ装置、２  ディスプレイ、３  音声出力部、４  ユーザ要求入力部、５  コンテンツ受信部、６  コンテンツ解析部、８  コンテンツ出力部、９  状態判定部、１０  利用者情報生成部、１１  解析情報記憶部、１２  利用者情報記憶部、１３  利用者情報編集部。
【図１】
2005182127.tif 000003
【図２】
2005182127.tif 000004
【図３】
2005182127.tif 000005
【図４】
2005182127.tif 000006
【図５】
2005182127.tif 000007
【図６】
2005182127.tif 000008
【図７】
2005182127.tif 000009
【図８】
2005182127.tif 000010
【図９】
2005182127.tif 000011
【図１０】
2005182127.tif 000012
【図１１】
2005182127.tif 000013